(57)【要約】 【課題】    簡単な構成で、羽根を清潔に保つことができる扇風機を提供することである。また、前ガードを後ガードから簡単に取り外すことのできる扇風機を提供することである。【解決手段】  羽根５の周囲を覆うガード６に、回転する羽根５に接触して羽根５に付着した埃を除去するブラシ１０を着脱自在に取り付ける。また、ガード６は、羽根の前方を覆う前ガード６ａと、羽根の後方を覆う後ガード６ｂとから構成され、前後両ガードの周縁１５ａ、１５ｂに嵌合し、その直径を縮小することにより両ガード６ａ、６ｂを合体する取り付けリング７を設け、該リング７は、その直径をクリップ３０の一操作により可変できるようにする。【選択図】    図１
2010116808.tif 000002
【特許請求の範囲】
【請求項１】
電動機により回転される羽根と、
羽根の周囲を覆うガードとを有する扇風機において、
前記ガードには、回転する前記羽根に接触して羽根に付着した埃を除去するブラシを着脱自在に取り付けてなる扇風機。
【請求項２】
スタンドベースに支持される支柱と、
支柱の上部に支持される電動機と、
該電動機により回転される羽根と、
羽根の周囲を覆うガードと、
前記ガードに着脱自在に取り付けられ、回転する前記羽根に接触して羽根に付着した埃を除去するブラシとを具え、
前記スタンドベースには、前記ブラシを収納するブラシ収納部を形成してなる扇風機。
【請求項３】
前記ガードは、前記羽根の前方を覆う前ガードと、羽根の後方を覆う後ガードとから構成され、前後両ガードの周縁に嵌合し、その直径を縮小することにより両ガードを合体する取り付けリングを設け、該リングは、その直径を可変できるようにした請求項１又は請求項２に記載の扇風機。
【請求項４】
スタンドベースに支持される支柱と、
支柱の上部に支持される電動機と、
該電動機により回転される羽根と、
羽根の周囲を覆うガードとを具え、
前記スタンドベースには、清掃用ブラシを収納するブラシ収納部を形成してなる扇風機。
【発明の詳細な説明】
【技術分野】
【０００１】
本発明は、羽根に付着した埃を容易に除去できる扇風機に関する。また扇風機を清掃する際に分解し易い扇風機に関するものである。
【背景技術】
【０００２】
扇風機の羽根を回転させると、大気中に漂っている埃が羽根の方に吸い寄せられ、長時間使用していると羽根の表面に埃が堆積してしまう。特に羽根は合成樹脂で作られているのが一般的であり、その表面に静電気が帯電して、埃が付着し易くなっていた。そのため、羽根を覆っている前ガードを後ガードから外して羽根を取り出し、羽根を時々水洗いするなどして清掃していた。
【０００３】
そこで羽根を製造する際に帯電防止樹脂を混合して、羽根に埃が付着しにくくしたもの（特許文献１参照）や、扇風機の後ガードにフィルターを取り付けて、フィルターで埃を捕獲するもの（特許文献２参照）が考えられている。また羽根を取り出して羽根を清掃する場合、前ガードを後ガードより外さなければならないが、前ガードは後ガードに複数箇所で係合して取り付けられているので、前ガードの取り外しに手間取るものであった。（特許文献３参照）
【特許文献１】特開２００５−２３３０１３号公報
【特許文献２】特開平１１−１５９４９９号公報
【特許文献３】特開平６−１６７２９８号公報
【発明の開示】
【発明が解決しようとする課題】
【０００４】
特許文献１のものでは、羽根の樹脂材料に特殊な材料を混合するのでコストが高くなる。また、特許文献２のものでは、フィルターにより抵抗を受けて風量が減少するという問題がある。また特許文献３では、前ガードを後ガードから外すのに手間取るといった問題がある。
【０００５】
本発明の目的は、簡単な構成で、風量の減少もなく、羽根を清潔に保つことができる扇風機を提供することである。また、前ガードを後ガードから簡単に取り外すことのできる扇風機を提供することである。
【課題を解決するための手段】
【０００６】
上記課題を解決するために本発明の請求項１に記載の扇風機は、電動機により回転される羽根と、羽根の周囲を覆うガードとを有する扇風機において、前記ガードには、回転する羽根に接触して羽根に付着した埃を除去するブラシを着脱自在に取り付けたものである。
【０００７】
請求項２に記載の扇風機は、スタンドベースに支持される支柱と、支柱の上部に支持される電動機と、該電動機により回転される羽根と、羽根の周囲を覆うガードと、ガードに着脱自在に取り付けられ、回転する羽根に接触して羽根に付着した埃を除去するブラシとを具え、スタンドベースには、ブラシを収納するブラシ収納部を形成したものである。
【０００８】
請求項３に記載の扇風機は、請求項１又は請求項２に記載の扇風機において、  前記ガードは、羽根の前方を覆う前ガードと、羽根の後方を覆う後ガードとから構成され、前後両ガードの周縁に嵌合し、その直径を縮小することにより両ガードを合体する取り付けリングを設け、該リングは、その直径を可変できるようにしたものである。
【発明の効果】
【０００９】
本発明の請求項1に記載の扇風機によれば、羽根に付着した埃を除去するときには、羽根の周囲を覆うガードにブラシを取り付け、羽根を回転させることにより、ブラシが各羽根に順次接触して羽根に付着した埃を除去することができる。羽根の埃を取る必要のないときは、ブラシをガードから外せばよいので、通常使用時は、ブラシによって空気の抵抗が増すことはなく、風量が減少することはない。
【００１０】
請求項２の扇風機によれば、ブラシを使わないときは、スタンドベースに設けたブラシ収納部にブラシを収納して保管することができる。スタンドベースは、通常扇風機の転倒防止のために面積が大きくなっていて充分なスペースを有しているので、このスペースを有効にブラシ保管のために活用することができる。
【００１１】
請求項３の扇風機によれば、前ガードは、取り付けリングの直径を広げる操作をするだけで、後ガードより手間取らずに簡単に取り外すことができ、羽根を取り外して清掃するのに好都合である。
【発明を実施するための最良の形態】
【００１２】
以下本発明の扇風機を図に基き説明する。１は床面に設置されるスタンドベースで、その上面中央部後方寄りには、支柱支持筒２が立設されており、この支柱支持筒２内に、支柱３が上下にスライド可能に挿入されて支持されている。支柱３の上端には、駆動部４が支持され、この駆動部４内に電動機（図示せず）が内蔵され、電動機により回転する羽根５が駆動部４の前方に配置されている。羽根５はガード６により覆われている。ガード６は羽根５の前方を覆う前ガード６ａと、駆動部４の前面に取り付けられ、羽根５の後方を覆う後ガード６ｂより構成され、両ガード６ａ、６ｂは後述する取り付けリング７により合体されている。スタンドベース１には扇風機の動作を操作する操作部８が設けられている。また、スタンドベース１には、後述するブラシ１０を収納するブラシ収納部となる凹部９が形成されている。
【００１３】
前ガード６ａには、図１のように、羽根掃除用のブラシ１０が着脱自在に取り付けられる。ブラシ１０は図３に示すように、側面視コ字型のベース１１と、ベース１１の一端側に植毛された柔らかな多数の毛１２からなる。コ字型ベース１１の内部には、前ガード６ａを構成するスポーク１３が嵌り込む溝１４が形成され、スポーク１３をこの溝１４に弾性的に嵌めこむ事により、図１のように、ブラシ１０が前ガード６ａに取り付けられる。ブラシ１０はベース１１を持って手前へ引っ張ることにより、スポーク１３が溝１４から外れて前ガード６ａから取り外すことができる。
【００１４】
ブラシ１０の毛１２の長さは、ブラシ１０を前ガード６ａに取り付けた際に、毛１２の先端が羽根５の表面に接触するように羽根の形状に合わせた長さとなっている。
【００１５】
そこで長時間の使用により羽根５に埃が堆積して汚くなった場合、ブラシ１０を図１のように前ガード６ａに取り付けて羽根５を回転させると、ブラシの毛１２が羽根５の表面に接触して擦り、羽根５の表面に堆積した埃を取っ払う。羽根５は回転しているので、各羽根５は順次ブラシの毛１２により擦られて埃が取り除かれる。このように前ガード６ａにブラシ１０を取り付け羽根５を回転させるだけで、羽根５に堆積した埃を簡単に取り除くことができる。
【００１６】
ブラシ１０を使用しない場合は、前ガード６ａより取り外して、スタンドベース１に形成したブラシ収納部となる凹部９に入れて保管しておく。扇風機のスタンドベース１は、扇風機の安定のため床面に対して大きな面積になっており、スペース的に余裕があるので、このスタンドベース１の空きスペースに、凹部９を形成して、ブラシ１０を保管するようにすれば、空きスペースを有効に活用でき、またブラシ１０をいつでも取り出して使用することができる。またブラシ１０を使用しない通常時は、ブラシ１０によって空気の抵抗が増すことはなく、風量が減少することはない。
【００１７】
ブラシ１０は、後ガード６ｂにも取り付けることができ、後ガード６ｂに、前ガード６ａに取り付けたときと同様に取り付ければ、羽根５の裏面に堆積した埃をも取り除くことができる。またブラシ１０を２個用意しておき、前ガード６ａと後ガード６ｂに同時に取り付けて、羽根５の表裏の埃を同時に除去することもできる。
【００１８】
なお、ガード６に取り付けられるブラシ１０は、羽根５に付いた埃を取り除くことの他に、扇風機の羽根以外のところを清掃するときにも使用できることは勿論である。
【００１９】
また、スタンドベース１に形成したブラシ収納部９に、羽根５を清掃するブラシ１０の他に、扇風機の他の部分を清掃するための一般的な清掃用ブラシを入れて保管しておくことも勿論できる。図８乃至図１０は、一般的な清掃用ブラシ２０とそれを保管するブラシ収納部２１の一例を示す。
【００２０】
図８はブラシ２０を収納した状態のブラシ収納部２１周りの平面図、図９はブラシ２０を示し、（ａ）は側面図、(ｂ)は正面図、（Ｃ）は平面図を夫々示す。ブラシ２０は取っ手となるベース２２とベースの正面に植毛された多数の毛２３とよりなる。図８のようにブラシ収納部である凹部２１の前後方向における中央部２４はその横幅が広くなっていて、ベース２２を持ってブラシ２０を出し入れする際に、この幅の広くなった中央部２４の側壁とブラシ２０の間に指を入れることができ、ブラシ２０の出し入れがし易いようになっている。ブラシ２０とブラシ収納部２１とは、ブラシ２０を収納部２１へ収納した際に、互いに弾性係合して、ブラシ２０が不用意に飛び出ることのないよう保持し、ブラシ２０を収納部２１より取り出す際には、この弾性係合を解除して取り出せるような、例えば凹凸嵌合機構を設けてもよいことは勿論である。この凹凸嵌合機構は、図1に示す羽根清掃用のブラシ１０とブラシ収納部９との間にも設けてもよいことは、勿論である。
【００２１】
次に前ガード６ａと後ガード６ｂの合体方法について説明する。先ず、前ガード６ａの周縁リング１５ａ（周縁フランジ）を後ガード６ｂの周縁リング１５ｂに合わせる。このとき、図７のように、前ガード６ａの周縁リング１５ａに突設したピン１６を、後ガード６ｂの周縁リング１５ｂの上部に形成した孔１７に嵌め込む。このことにより、前ガード６ａを後ガード６ｂに仮接合する。
【００２２】
次に仮接合された前記両周縁リング１５ａ、１５ｂの外側に、取り付けリング７を嵌め込む。取り付けリング７には、図７のように両周縁リング１５ａ、１５ｂが嵌り込む環状溝１９が形成され、断面がコ字型をしている。また取り付けリング７の両端には、図４で示す如きクリップ３０が取り付けられている。クリップ３０が図４の状態であると、取り付けリング７の直径は広げられ、クリップ３０を図４において矢印Ｃ方向に操作すると、図６のように取り付けリング７の直径は縮小される。
【００２３】
詳述すると、クリップ３０は、２つのクリップ片３１、３２から構成され、各々のクリップ片３１、３２の一端は夫々取り付けリング７の両端にピン３３、３４により枢支連結され、また両クリップ片３１、３２の他端はピン３５により互いに枢支連結されている。そこで、図４の状態からクリップ片３１を矢印Ｃ方向に回動させると、取り付けリング７の直径は縮小されていき、最終的には、図６のように、両クリップ片３１、３２が重なり、クリップ片３２に設けた突起３６がクリップ片３１に設けた係止孔３７に嵌りこんで、取り付けリング７を縮径した状態で保持する。クリップ片３１を図６において矢印Ｄ方向に回動させ、突起３６と係止孔３７の係合を解除することにより、図４、５のように、取り付けリング７は拡径する。なお、図５、６では後ガード６ｂのスポークは省略している。
【００２４】
図４のように、取り付けリング７の直径を広げた状態で、両周縁リング１５ａ、１５ｂの外側に、取り付けリング７の環状溝１９を嵌めこみ、クリップ３０を図４の矢印Ｃ方向に操作して直径を縮小することにより、両周縁リング１５ａ、１５ｂの外側全周に環状溝１９が嵌りこんで両周縁リング１５ａ、１５ｂを接合した状態で保持し、前ガード６ａと後ガード６ｂが合体される。取り付けリング７の前ガード６ａ側には、取り付けリング７を両周縁リング１５ａ、１５ｂの外側に嵌め込む際、図４の如き前ガード６ａのスポーク１３の外側端部が嵌り込む溝２７が形成され、取り付けリング７の周方向の位置決めをしている。
【００２５】
前ガード６ａを後ガード６ｂから取り外す場合は、クリップ片３１を図６の矢印Ｄ方向に操作して取り付けリング７の直径を拡大し、取り付けリング７を両周縁リング１５ａ、１５ｂより外すことにより行なうことができる。
【００２６】
このように、前ガード６ａの後ガード６ｂに対する取り付け、取り外しは、取り付けリング７のクリップ３０の操作一つで簡単に行なうことができる。前述の背景技術のところで挙げた特許文献３のように、前ガードと後ガードを複数箇所で係合したり、係合を解除する必要はなく、簡単である。
【００２７】
従って、シーズンオフ等の時のように、前ガード６ａを外して羽根５を水等で洗って清掃する場合に、前ガード６ａをクリップ３０の操作一つで簡単に取り外して羽根５を取り出して清掃することができる。
【００２８】
なお、このような前ガード６ａと後ガード６ｂの合体方法は、羽根清掃用のブラシ１０のない扇風機においても有効であることはいうまでもない。
【図面の簡単な説明】
【００２９】
【図１】本発明の扇風機の斜視図で、ブラシを前ガードへ取り付ける様子を示す。
【図２】同扇風機の斜視図で、ブラシをブラシ収納部へ収納しようとする様子を示す。
【図３】ブラシが前ガードへ取り付けられた状態の要部断面図である。
【図４】ガードの周縁に取り付けリングを嵌め込む際の様子を示す正面図で、取り付けリングの直径を拡径させたところを示す。
【図５】取り付けリングの直径を拡径させたところで、前ガードを取り除いた状態を示す。
【図６】取り付けリングの直径を縮径させたところで、前ガードを取り除いた状態を示す。
【図７】図４のＡ―Ａ線に基く要部拡大断面図である。
【図８】ブラシ収納部とブラシの他の実施例で、ブラシをブラシ収納部へ収納した状態の要部の平面図である。
【図９】同ブラシを示し、（ａ）は側面図、（ｂ）は正面図、（ｃ）は平面図である。
【図１０】図８のＢ―Ｂ線に基く要部拡大断面図である。
【符号の説明】
【００３０】
５    羽根
６    ガード
６ａ  前ガード
６ｂ  後ガード
１０  ブラシ
３    支柱
１    スタンドベース
９    ブラシ収納部
７    取り付けリング
【図１】
2010116808.tif 000003
【図２】
2010116808.tif 000004
【図３】
2010116808.tif 000005
【図４】
2010116808.tif 000006
【図５】
2010116808.tif 000007
【図６】
2010116808.tif 000008
【図７】
2010116808.tif 000009
【図８】
2010116808.tif 000010
【図９】
2010116808.tif 000011
【図１０】
2010116808.tif 000012